(57)【要約】【課題】  従来の粉類保存用の袋は、開口部分にチャックがついていると、そのまま袋を傾けて内容物を注ぎだすとチャックに内容物が付着しチャックの密閉性が悪くなるという問題があった。【解決手段】  紙パックの注ぎ口を利用し、注ぎ口の袋本体外側にチャックを備えることにより内容物が付着することなく内容物を注ぎだすことができる。【選択図】図３
2007015759.tif 000002
【特許請求の範囲】
【請求項１】
粉類を保存する袋において開口部分を牛乳パック等紙パックにみられる開口形状にし、かつ内容物が注ぎ出る際に内容物と触れない位置にチャック機構を設けることにより、注ぎやすさと密閉性を両立させた袋。
【請求項２】
二つのチャックが袋運搬時にそれぞれはずれることを防ぐためにあらかじめ切り込みを入れた代を設けておき、それを切り取ることにより初めてチャックがはずれるようになっている袋。
【発明の詳細な説明】
【技術分野】
【０００１】  本発明は、粉類を保存する袋に内容物を付着させずに注ぎだせるチャックが備えられ密閉性が保たれるチャック式袋に関する。
【背景技術】
【０００２】  従来の粉類を保存する袋の開口部には密閉性を考えたチャックが備えられている。
【発明の開示】
【発明が解決しようとする課題】
【０００３】  従来の粉類を入れたチャック式袋ではスプーン等の調理器具を使わずに袋を傾けてそのまま内容物を注ぎ出すと、開口部分のチャックに粉類が付着し、そのためチャックの密閉性が悪くなるという不都合が生じていた。【０００４】  本発明は、このような従来の粉類を入れたチャック式袋が有していた問題を解決しようとするものであり、袋を傾けてそのまま内容物を注ぎ出しても開口部分のチャックに内容物が付着せず、袋の密閉性が保たれることを目的とするものである。
【課題を解決するための手段】
【０００５】  粉類を保存する袋の開口部分に紙パックにみられる開口部分を利用し、紙パックでは糊付されている部分にチャックを備えることにより、内容物のチャックへの付着を防ぎ、また、注ぎ口の上部で袋本体内側にもチャックを備えることで、注ぎ口を内側にして折りたたんだ後で袋の開口部分全体を密閉することができる袋。なお、二つのチャックが袋運搬時にそれぞれはずれることを防ぐためにあらかじめ切り込みを入れた代を設けておき、それを切り取ることにより初めてチャックがはずれるようになっている袋。【０００６】  上述したように本発明はスプーン等の調理器具を使わずに袋を傾けてそのまま内容物を注ぎ出してもチャック部分に粉類が付着せず、その結果、チャックの密閉性が保たれる。
【発明の実施するための最良の形態】
【０００７】  以下、本発明の実施の形態を図１〜図３に基づいて説明する。
【０００８】  図１は本発明の袋を開封しない状態をあらわす。紙パックでは３の部分が糊付けされているが本発明の袋はチャック１、チャック２が備えられ密閉されている。
【０００９】  また、図１の切り口付き代４は、本発明の袋の運搬時にチャック１およびチャック２がはずれるのを防ぐために設けておくもので、使用者は切り口５から下に向かって指で切り口付き代４を切り取った後に、チャック１およびチャック２を開封することができる。
【００１０】  図２は本発明の袋を開封した状態をあらわす。チャック６は凸、チャック７は凹、チャック８は凸、チャック９は凹の形態をそれぞれがとる。
【００１１】  図３は本発明の袋から内容物を注ぎ出す時の開口部分をあらわす。チャック８およびチャック９は袋本体の外側に備えられるため、内容物を注ぎ出しても内容物がチャック８およびチャック９に付着することはない。
【００１２】  内容物を注ぎ出した後に袋を密閉する時は注ぎ口点１０を矢印１１の方向に向けて押すことにより前述した図２の状態に戻り、チャック８およびチャック９と、チャック６およびチャック７をそれぞれ密閉すると前述した図１の状態に戻る。
【図面の簡単な説明】
【００１３】
【図１】  本発明の袋を開封しない状態の図
【図２】  本発明の袋を開封した状態の図
【図３】  本発明の袋から内容物を注ぎ出す時の開口部分の図
【符号の説明】
【００１４】４  切り口付き代
６  チャック
フ  チャック
８  チャック
９  チャック
【図１】
2007015759.tif 000003
【図２】
2007015759.tif 000004
【図３】
2007015759.tif 000005
【手続補正書】
【提出日】平成18年6月13日(2006.6.13)
【手続補正１】
【補正対象書類名】明細書
【補正対象項目名】００１２
【補正方法】変更
【補正の内容】
【００１２】  内容物を注ぎ出した後に袋を密閉する時は注ぎ口点１０を矢印１１の方向に向けて押すことにより前述した図２の状態に戻り、チャック８およびチャック９と、チャック６およびチャック７をそれぞれ密閉すると前述した図１の状態に戻る。なお、本発明は、コーヒー、お茶製品等に使われるアルミパックや、小麦粉類等の紙袋に実施できると考えられる。
【手続補正書】
【提出日】平成18年10月20日(2006.10.20)
【手続補正１】
【補正対象書類名】特許請求の範囲
【補正対象項目名】全文
【補正方法】変更
【補正の内容】
【特許請求の範囲】
【請求項１】
袋において、開口部分を牛乳パック等紙パックにみられる開口形状にし、その開口部分を指で左右に開口した時に上下方向にずれて現れる２枚のリップ片（３）のうち上側に位置する上リップ片（３ａ）の、その上リップ片と比較して下方向にずれて位置する下リップ片（３ｂ）と重なっていない部分に、開口部分を閉じた際に密閉でき、かつ、左右に開口した時に開封できるように、片側上リップ片と、もう一方側上リップ片にチャックを設け、かつ、上リップ片と比較して下方向にずれて位置する下リップ片上端付近にも同様に、開口部分を閉じた際に密閉でき、かつ、左右に開口した時に開封できるように片側下リップ片と、もう一方側下リップ片にチャックを設けることにより、袋を開口して注ぎ口を前方向に突出させて袋を傾けて内容物を注ぎ出した時、下リップ片が突出した注ぎ口となるが、下リップ片のチャックは袋外側に位置するために内容物が下リップ片のチャックに触れずに注ぎ出すことができ、尚かつ、注ぎ口を内側に折りたたんだ後で上リップ片と下リップ片のそれぞれ左右に設けたチャックにより開口部分全体の密閉性も保たれることを特徴としたチャック式袋。
【請求項２】
二つのチャックが袋運搬時にそれぞれはずれることを防ぐためにあらかじめ切り込みを入れた代を設けておき、それを切り取ることにより初めてチャックがはずれるようになっている請求項１記載のチャック式袋。
【手続補正３】
【補正対象書類名】明細書
【補正対象項目名】０００５
【補正方法】変更
【補正の内容】
【０００５】袋において、開口部分を牛乳パック等紙パックにみられる開口形状にし、その開口部分を指で左右に開口した時に上下方向にずれて現れる２枚のリップ片（３）のうち上側に位置する上リップ片（３ａ）の、その上リップ片と比較して下方向にずれて位置する下リップ片（３ｂ）と重なっていない部分に、開口部分を閉じた際に密閉でき、かつ、左右に開口した時に開封できるように、片側上リップ片と、もう一方側上リップ片にチャックを設け、かつ、上リップ片と比較して下方向にずれて位置する下リップ片上端付近にも同様に、開口部分を閉じた際に密閉でき、かつ、左右に開口した時に開封できるように片側下リップ片と、もう一方側下リップ片にチャックを設けることにより、袋を開口して注ぎ口を前方向に突出させて袋を傾けて内容物を注ぎ出した時、下リップ片が突出した注ぎ口となるが、下リップ片のチャックは袋外側に位置するために内容物が下リップ片のチャックに触れずに注ぎ出すことができ、尚かつ、注ぎ口を内側に折りたたんだ後で上リップ片と下リップ片のそれぞれ左右に設けたチャックにより開口部分全体の密閉性も保たれる。なお、二つのチャックが袋運搬時にそれぞれはずれることを防ぐためにあらかじめ代を設けておき、それを切り取ることにより初めてチャックがはずれるようになっている。
【手続補正４】
【補正対象書類名】明細書
【補正対象項目名】０００８
【補正方法】変更
【補正の内容】
【０００８】  図１は本発明の袋を開封しない状態をあらわす。牛乳パック等紙パックでは、図２の上リップ片３ａと下リップ片３ｂからなる図１の上下リップ片からなる部分３が糊付けされているが、本発明の袋はチャック１、チャック２が備えられ密閉されている。
【手続補正５】
【補正対象書類名】明細書
【補正対象項目名】００１０
【補正方法】変更
【補正の内容】
【００１０】  図２は本発明の袋を開封した状態をあらわす。図１のチャック１は図２ではチャック１ａとチャック１ｂとなり、図１のチャック２は図２ではチャック２ａとチャック２ｂとなる。チャック１ａは凸、チャック１ｂは凹、チャック２ａは凸、チャック２ｂは凹の形態をそれぞれがとる。
【手続補正６】
【補正対象書類名】明細書
【補正対象項目名】００１１
【補正方法】変更
【補正の内容】
【００１１】  図３は本発明の袋から内容物を注ぎ出す時の開口部分をあらわす。チャック２ａおよびチャック２ｂは袋本体の外側に備えられるため、内容物を注ぎ出しても内容物がチャック２ａおよびチャック２ｂに付着することはない。
【手続補正７】
【補正対象書類名】明細書
【補正対象項目名】００１２
【補正方法】変更
【補正の内容】
【００１２】  内容物を注ぎ出した後に袋を密閉する時は注ぎ口点１０を矢印１１の方向に向けて押すことにより前述した図２の状態に戻し、チャック２ａおよびチャック２ｂと、チャック１ａおよびチャック１ｂをそれぞれ密閉すると前述した図１の状態に戻る。なお、本発明は、コーヒー、お茶製品に使われるアルミパックや、小麦粉類の紙袋に実施できると考えられる。
【手続補正８】
【補正対象書類名】明細書
【補正対象項目名】００１４
【補正方法】変更
【補正の内容】
【００１４】４  切り口付き代
１ａ  チャック
１ｂ  チャック
２ａ  チャック
２ｂ  チャック
３ａ  上リップ片
３ｂ  下リップ片
【手続補正９】
【補正対象書類名】図面
【補正対象項目名】全図
【補正方法】変更
【補正の内容】
【図１】
2007015759.tif 000006
【図２】
2007015759.tif 000007
【図３】
2007015759.tif 000008